(57)【要約】【課題】コンパクトな画像形成装置を提供する。【解決手段】給紙部から縦搬送ユニットにより搬送された記録媒体にレジストローラ５３ｂを経て感光体（像担持体）に送り込み画像を形成する画像形成装置において、赤現像ユニット（現像ユニット）３３を横搬送ユニットに対して引き出し可能に備え、横搬送ユニット上に、赤現像ユニット３３を安定して引き出すための受け台３を設ける。【選択図】図１０
2005070287.tif 000002
【特許請求の範囲】
【請求項１】
給紙部から縦搬送ユニットにより搬送された記録媒体にレジストローラを経て像担持体に送り込み画像を形成する画像形成装置において、
現像ユニットが横搬送ユニットに対して引き出し可能に備えられ、該横搬送ユニット上に、前記現像ユニットを安定して引き出すための受け台が設けられていることを特徴とする画像形成装置。
【請求項２】
前記受け台が前記レジストローラを覆うように形成されていることを特徴とする請求項１に記載の画像形成装置。
【請求項３】
前記受け台に補強のための立ち面を備えることを特徴とする請求項１または２に記載の画像形成装置。
【発明の詳細な説明】
【技術分野】
【０００１】
本発明は、電子写真プロセスを用いた画像形成装置に関する。詳しくは、その画像形成装置に備える用紙搬送部に関する。
【背景技術】
【０００２】
従来、電子写真プロセスの画像形成装置を構成する作像ユニットなどは、画像形成装置本体からスライドレールなどを用いて引き出せるようになっており、容易に現像ユニットなどを交換することができるようになっている。
例えば、転写紙搬送経路構成部材の一部を横搬送ユニットとして機械本体より搬送方向に略直角方向に１対のスライドレールなどによって移動させて引出し可能とし、上記搬送ユニットに取付けられ、その引出し操作を行なう操作レバー部に固着された位置規制部材と、機械本体に対し、横搬送ユニット引出し方向に一定の位置迄移動可能に設けられ上記位置規制部材の前面に係合可能な位置と退避位置とに変位可能なストッパ部材とを有し、横搬送ユニットの引出し時の停止位置を複数位置に切換可能とした画像形成装置が開示されている（例えば特許文献１）。
この画像形成装置によると、ジャム紙の除去操作等、一般のユーザーが作業を行なう場合には、横搬送ユニットはスライドレールによって必要最少限迄しか引出さず、サービスマンによる保守点検時には作業に必要な位置迄搬送ユニットを引出すことができ、安全性、作業性の向上に効果が得られる。
【特許文献１】特許第２６３３９３４号公報
【発明の開示】
【発明が解決しようとする課題】
【０００３】
しかしながら、１対のスライドレールを使用して例えば現像ユニットを引き出す機構は、スライドレールそのものを収納するスペースの他、引き出すためのユニットをスライドレールに固定するための構成、スライドレールを画像形成装置本体に固定するための構成などが必要で、その構成を画像形成装置内に収納するスペースが必要となり、装置が大型化し、構成が複雑となるという問題がある。また、装置全体の構成部品が増えるため、コストがかかるという問題もある。
【０００４】
そこでこの発明の目的は、コンパクトな画像形成装置を提供することにある。
【課題を解決するための手段】
【０００５】
請求項１の発明は、給紙部から縦搬送ユニットにより搬送された記録媒体にレジストローラを経て像担持体に送り込み画像を形成する画像形成装置において、
現像ユニットが横搬送ユニットに対して引き出し可能に備えられ、該横搬送ユニット上に、前記現像ユニットを安定して引き出すための受け台が設けられていることを特徴とする。
【０００６】
請求項１の発明によれば、現像ユニットが横搬送ユニットに対して引き出し可能に備えられ、該横搬送ユニット上に、現像ユニットを安定して引き出すための受け台が設けられているので、現像ユニットを交換する際に現像ユニットを横搬送ユニットまたは装置本体から引き出すために、従来のように別途、スライドレールを設置することがなく、現像ユニットを受け台の上を滑らせるようにして引き出す。
【０００７】
請求項２の発明は、請求項１に記載の画像形成装置において、前記受け台が前記レジストローラを覆うように形成されていることを特徴とする。
【０００８】
請求項２の発明によれば、受け台がレジストローラを覆うように形成されているので、レジストローラの上部にある作像ユニットからトナーなどの粉塵が落ちて、レジストローラに付着し、レジストローラを通過して画像形成する記録媒体を汚してしまうことがない。
【０００９】
請求項３の発明は、請求項１または２に記載の画像形成装置において、前記受け台に補強のための立ち面を備えることを特徴とする。
【００１０】
請求項３の発明によれば、受け台に補強のための立ち面を備えるので、比較的重量のある作像ユニットを受け台上に載せて引き出す際の補強、または記録媒体に押圧するレジストローラの押圧力に対する受け台の補強が可能となる。
【発明の効果】
【００１１】
請求項１に記載の発明によれば、画像形成装置に備える現像ユニットを出し入れする際にこれまで用いていたガイドレールに代えて、横搬送ユニット上部に受け台を形成することにより画像形成装置を小型化することができる。
【００１２】
請求項２に記載の発明によれば、上側のレジストローラを覆うように受け台を形成することにより、レジストローラの上方にある現像ユニットから画像形成時に発生するトナーなどの粉塵等が落下してレジストローラに付着し、レジストローラを通過して画像形成する記録媒体を汚して画像不良の発生を防止することができる。
【００１３】
請求項３に記載の発明によれば、受け台に補強のための立ち面を備えるので、比較的重量のある現像ユニットを受け台上に載せて引き出す際の補強、記録媒体に押圧するレジストローラの押圧力に対する受け台の補強をすることができる。したがって、レジストローラの押圧力に対する補強のための部材を別途設けることがなく、部品点数を少なくすることができる。
【発明を実施するための最良の形態】
【００１４】
本発明の画像形成装置の一例としてのデジタル複写機の構成を説明する。図１において、このデジタル複写機の機構は概略的に、複写機本体１と、自動原稿送り装置（ＡＤＦ）１００と排紙トレイ２００と給紙ユニット（給紙部）３００により構成されている。
【００１５】
自動原稿送り装置１００は原稿給紙台１０１上に積載された原稿を１枚ずつ複写機本体１側のコンタクトガラス１０上に給紙し、画像を読み取り後、排紙トレイ１０５上に排紙するように構成されている。原稿給紙台１０１上の原稿は、図示省略のサイドフェンスにより幅方向が揃えられ、給紙ローラ１０２により１番下の原稿から分離されて給紙され、搬送ベルト１０３によりコンタクトガラス１０上に給紙される。
【００１６】
また、給送部１０７には、原稿幅検知センサ１０８及び原稿長さ検知センサ１０９が設けられている。前記両センサにより、自動原稿送り装置１００から送られる原稿のサイズを検知する。コンタクトガラス１０上の原稿は読み取り終了後に、搬送ベルト１０３及び排紙ローラ１０４により排紙トレイ１０５上に排紙される。
【００１７】
一方、両面の原稿を読み取る場合には、原稿給紙台１０１上の原稿は給紙ローラ１０２により１番下の原稿から分離されて給紙され、搬送ベルト１０３によりコンタクトガラス１０上を通過して反転爪１０６により反転され、再びコンタクトガラス１０上に給紙されて裏面が読み取られる。次いで、コンタクトガラス１０上の原稿は裏面読み取り終了後に、搬送ベルト１０３により搬送されて反転爪１０６により反転され、再びコンタクトガラス１０上に給紙されて表面が読み取られる。
そして、表面読み取り終了後の原稿は搬送ベルト１０３及び排紙ローラ１０４により排紙トレイ１０５上に排紙される。
【００１８】
図２に示すように、自動原稿送り装置１００はヒンジ８１および８２を中心に聞閉されるようになっており、ヒンジ８１の近傍の複写機本体１の上面には爪８３が設けられ、自動原稿搬送装置１００を閉じたときに爪８３が対向する位置の自動原稿装置１００の下面には孔８４が設けられおり、自動原稿送り装置１００を閉じると爪８３が孔８４に挿通されるようになっている。孔８４に隣接する自動原稿送り装置１００の内部には、孔８４に挿通された爪８３の有無を検出するリフトアップ検知センサ８５および原稿検知タイミングセンサ８６が設けられている。
【００１９】
リフトアップ検知センサ８５は、自動原稿送り装置１００が完全に閉じられている（リフトダウン）ときに爪８３を検出してオン状態になり、自動原稿送り装置１００が開いている（リフトアップ）ときにオフ状態になる。なお、完全に閉じられている状態とは、自動原稿送り装置１００の下面側の一部が複写機本体１の上面に接触している状態をいう。
【００２０】
一方、原稿検知タイミングセンサ８６は、後述する原稿サイズ検知センサの検出結果に墓づいてコンタクトガラス１０上にある原稿のサイズを検知するタイミングを制御するために設けられており、自動原稿送り装置１００の開放角度が所定角度以内になると、爪８５を検知してオン状態になるようになっている。この所定角度はわずかな角度であり、オペレータが手で自動原稿送り装置１００を開くと、リフトアップ検知センサ８５および原稿検知タイミングセンサ８６の両方がオフ状態になるようになっている。なお、符号８７および８８は端面スケールである。
【００２１】
図３に示すように、コンタクトガラス１０の下方には原稿サイズ検知センサ９１〜９３が設けられている。各原稿サイズ検知センサ９１〜９３は、図４に示すように、１個の発光ダイオード９１ａから発せられた光を３ビームに分散させて照射して、その反射光を光学系内部の３個の受光素子９１ｂで受光する反射型のセンサであり、光学系内部からコンタクトガラス１０を透視して原稿面からの反射光のみを受光して原稿の有無を検知するものである。
【００２２】
原稿サイズ検知センサ９１〜９３は常に作動しており、各受光素子では、コンタクトガラス上１０の原稿を検出したときにはオン状態となり、原稿を検出していないときにはオフ状態となっている。原稿サイズ検知センサ９１〜９３は、コンタクトガラス１０上の所定位置に載置された複数種類の原稿のサイズに応じて配置されている。
これより、コンタクトガラス１０上に原稿が有るか否かが判定されるとともに、コンタクトガラス１０上の原稿のサイズが検知される。
【００２３】
図１に戻って、複写機本体１は原稿を読み取るスキャナ、画像処理部及びプロッタなどを有する。スキャナは原稿を載置するためのコンタクトガラス１０と光学走査系を有し、光学走査系は露光ランプ１１、第１ミラー１２、第２ミラー１３、第３ミラー１４、レンズ１５、フルカラーＣＣＤ１６等を有する。露光ランプ１１及び第１ミラー１２は、第１キャリッジに装傭され、第１キャリッジは原稿読み取り時にステッピングモータにより一定の速度で副走査方向に移動する。第２ミラー１３及び第３ミラー１４は第２キャリッジに装備され、第２キャリッジは原稿読み取り時にステッピングモータにより第１キャリヅジの１／２の速度で移動する。
この第１、第２のキャリッジの移動によりコンタクトガラス１０上の原稿が光学的に走査され、レンズ１５によりＣＣＤ１６の受光面に結像されて光電変換される。
【００２４】
フルカラーＣＣＤ１６により赤（Ｒ）、緑（Ｇ）及び青（Ｂ）の各色に分離された画像信号は、画像処理回路によりＡ／Ｄ変換等された後に画像処理部により各種の画像処理が施され、次いでコピー時には書き込みユニットにより記録紙にコピーされる。
【００２５】
書き込みユニットはレーザ出カユニット２０，ｆθレンズ２１、ミラー２２を有し、レーザ出カユニット２０はレーザ光源であるレーザダイオード（ＬＤ）と、図示省略のポリゴンミラー及びポリゴンモータを有する。レーザ出カユニット２０からはコピー時にはスキャナにより読み取られた画像に応じて変調された黒信号のレーザ光が出射され、感光体３０上にその潜像が形成される。
【００２６】
感光体（像担持体）３０の回りには、黒現像ユニット３２、赤信号の画像を書き込むためのＬＥＤ書き込みユニット３１、赤現像ユニット（現像ユニット）３３、図示省略の転写器及び分離器などが配置され、感光体３０上のトナー像が用紙に記録される。なお、後述するように、赤現像ユニット３３は、一方のレジストローラ５３に受け台２，３を介してセットされる。用紙は複写機本体１内の第１トレイ５０と、第２トレイ５１、給紙ユニット３００内の第３トレイ３１０、第４トレイ３２０及び第５トレイ３３０の１つから選択的にそれぞれフィードローラ４２及び分離コロ４３のローラ対により給紙される。
【００２７】
図５に定着装置５５の内部構成を示す。図示するように、定着装置５５は、定着ローラ７００と、この定着ローラ７００に圧接する加圧ローラ７０１とを有している。定着ローラ７００は表面がＰＦＡ，ＰＴＦＥ等の耐熱離型層でコーティングされており、内部には熱源７０２が設けられている。熱源７０２にはハロゲンヒータや赤外線ヒータ（ニクロム線）などが用いられる。
【００２８】
定着ローラ７００の周面には温度検知手段である定着温度センサ７０３が設けられ、加圧ローラ７０１の周面には温度検知手段である加圧温度センサ７０４が設けられており、この定着温度センサ７０３、加圧温度センサ７０４からの温度検知信号に基づいて、定着ローラ７００や加圧ローラ７０１の温度がある一定の温度になるように熱源７０２を制御し、また転写紙Ｐへの供給熱量を制御するため定着ローラ７００と加圧ローラ７０１のニップ巾が変更できるよう加圧機構が制御されるようになっている。定着ローラ７００は図示しない駆動機構により回転され、加圧ローラ７０１と協働して転写紙Ｐを搬送しながら、転写紙Ｐに熱及び圧力を加えて定着処理を行う。
【００２９】
また、加圧ローラ７０１は表面がシリコンゴム等の耐熱ゴム層で構成されている。加圧ローラ７０１はその軸の両端部が回転自在に枢支されるとともに、図示しない付勢手段によって定着ローラ７００と離間する方向に常時付勢されている。その一方で、加圧ローラ７０１は軸の下方から加圧機構により持ち上げられて定着ローラ７００の下部に押し付けられている。
【００３０】
加圧機構は、ステッピングモータ７１０が正転（Ａ方向）し、同軸上のギヤ７１１からアイドラギヤ７１２を介して、ギヤ７１３に駆動を与える。ギヤ７１３の軸は送りネジ７１４となっており、アンカー７１５を水平方向（Ｃ方向）に引き寄せる。アンカー７１５には、スプリング７１６が掛けられ、一方はリンク７１７に掛けられている。アンカー７１５の水平移動に伴い、リンク７１７は支点７１８を中心に回動する。リンク７１７の一端にはレバー７１９が嵌合しており、支点７２０を中心に回動し、加圧ローラ７０１に押し上げ圧をかける。
【００３１】
また、ステッピングモータ７１０が逆転（Ｂ方向）すると、アンカー７１５は水平方向（Ｄ方向）に押し戻され、レバー７１９が支点７２０を中心に回動し、加圧ローラ７０１を引き下げ脱圧する。この時、アンカー７１５にはホームポジション検知７２１が設けられており、アンカー７１５の移動量を調整することで指示された圧を加圧ローラ７０１に掛けることができる。また、この機構は加圧ローラ７０１の両端に設けられている。
【００３２】
上記のように構成された画像形成装置は、電源が投入されると直ちに、熱源７０２を作動させて定着ローラ７００の加熱を聞始するとともに、温度検知手段により定着ローラ７００と加圧ローラ７０１の表面温度の検出を開始する。そして、定着ローラ７００と加圧ローラ７０１の表面温度が転写紙Ｐの未定着画像を定着できる温度に達したら、複写開始可能となり、その旨を図示しない操作パネル上に表示する。
【００３３】
本実施例に設けている定着装置は、印刷時に加圧され、印刷以外また、ジャム時には、加圧力を図８に示した加圧モーターにて加圧力を解除して、定着ローラと加圧ローラを離間して、ジャム処理を容易にしている。また、転写ベルトも印刷以外は転写ベルトと感光体ドラムと離間している状態に昇降モーターにて、接離可能な構成になっているが、ジャム時においても、昇降モーターにて、転写ベルトが感光体ドラムと離間する位置になるようにしている。
【００３４】
ところで、用紙（記録媒体）のサイズ及びセット方向は、図６に示すようにトレイ内のサイズレバー４００の位置を複数連のプッシュスイッチ４０１のＯＮ／ＯＦＦの組み合わせによって検知している。両面ユニット４０、第１トレイ（給紙部）５０及び第２トレイ（給紙部）５１から給紙された用紙は縦搬送ユニット６０により上方向に搬送され、また、第３トレイ３１０、第４トレイ３２０及び第５トレイ３３０から給紙された用紙は縦搬送ユニット３４０及び縦搬送ユニット６０により上方向に搬送される。
【００３５】
そして、この用紙は先端がレジストセンサ５２により検出された後の所定時間後にレジストローラ５３に突き当って一旦停止し、副走査有効期間信号（ＦＧＡＴＥ）に同期してレジストローラ５３により搬送され、感光体３０上のトナー像が転写される。次いでこの用紙は感光体３０から分離された後、搬送装置５４により搬送され、定着装置５５により画像が形成される。この定着後の用紙は片面印刷時と両面印刷後には切り換え爪５７、排紙ローラ５６により排紙トレイ２００に排出される。
なお、この例では、レジストローラ５３、受け台２、搬送装置５４、定着装置５５、排紙ローラ５６などによって横搬送ユニットを構成している。
【００３６】
他方、両面印刷時の表面印刷後の用紙は、切り換え爪５７により反転搬送路４１に導かれ、反転搬送ローラにより用紙がスイッチバック搬送されて、用紙が反転され、両面再給紙搬送路４４に搬送される。両面搬送路に搬送された用紙は、縦搬送ユニット６０に送られて裏面に画像が形成される。
【００３７】
図７はこのデジタル複写機の制御系を示すブロック図である。同図において、コントローラ５０１は全体システム制御、プリンタデータ受信の管理、ファイル管理を行う。メインコントローラ５０４は、画像形成にかかる各種制御を受け持つ部分であり、給紙、搬送、定着、両面印刷、プロセス制御、用紙搬送タイミング制御等を行う。操作部コントローラ５００は操作部の液晶、各種ＬＥＤの表示制御、各種キー入力制御を行い、画像処理コントローラ５０２は画像制御、スキャナの読み取り制御、書込制御を行う。ＡＤＦコントローラ５０３は自動原稿送り装置１００の制御を行い、ＦＡＸコントローラ５０５はＦＡＸ送受信の管理、ファイル管理を行う。
【００３８】
図８はこのデジタル複写機の画像処理回路を示すブロック図である。
コンタクトガラス１０上の原稿６００が露光ランプ１１により照明され、反射光がカラーＣＣＤ１６により読み取られる。次いでカラーＣＣＤ１６によりＲ，Ｇ，Ｂに分離されたアナログの画像信号が信号処理回路６０１により増幅されて光量補正され、ＡＤ変換器６０２によりデジタルの画像信号に変換され、シェーディング補正回路６０３によりシェーディング補正され、画像処理部６０４に送られる。
【００３９】
画像処理部６０４ではＭＴＦ補正、γ補正、黒画像生成、カラー画像生成、２値処理、多値処理などの画質処理が施され、黒データとカラーデータがセレクタ６０５に出力される。セレクタ６０５では、画像信号の送り先を、変倍部６０６または、画像メモリコントローラ６０８への切り替えが行われる。変倍部６０６を経由した画像信号は変倍率に合せて拡大縮小され、書き込みユニット６０７に送られる。画像メモリコントローラ６０８とセレクタ６０５間は、双方向に画像信号を入出力可能な構成となっている。また、画像メモリコントローラ６０８等への設定や、読み取り部、書き込み部の制御を行うＣＰＵ６０９、及びそのプログラムやデータを格納するＲＯＭ６１０，ＲＡＭ６１１を備えている。更にＣＰＵ６０９は、メモリコントローラ６０８を介して、画像メモリ６１２のデータの書き込み、読み出しが行える。
【００４０】
原稿画像で画像メモリコントローラ６０８へ送られた画像は、画像メモリコントローラ６０８内にある画像圧縮装置によって画像データを圧縮した後、画像メモリ６１２に送られる。画像圧縮を行う事で、限られた画像メモリを有効に利用できる。また、１度に多くの原稿画像データを記憶することが出来るため、貯えられた原稿画像イメージデータをぺ一ジ順に出力する事ができる。この場合、画像を出力する際に画像メモリ６１２のデータをメモリコントローラ６０８内の伸長装置で順次伸長しながら出力を行う。
【００４１】
他方、ＦＡＸ送信時にはセレクタ６０５により黒データがＦＡＸ用イメージメモリ６１３に転送される。また、ＦＡＸ受信時には、回線から受信データが復調、伸張された後にＦＡＸ用イメージメモリ６１３において展開された後、セレクタ６０５により書き込みユニット６０７に送られる。
更に、プリンタデータ受信時には、プリンタ用イメージメモリ６１４において展開された後、セレクタ６０５により書き込みユニット６０７に送られる。なお、ＲＯＭ６１０、ＲＡＭ６１１は、画像処理時に画像メモリコントローラ６０８を介して適宜使用される。
【００４２】
本実施例の横搬送ユニットＴの本体は、図９のＡ，Ｂにて本体側板（図示せず）に位置決めされ、また横搬送ユニットＴに搭載されている定着ユニットは、横搬送ユニットＴに対して、搬送方向に直角方向の位置決めは図のＣ，Ｄにて位置決めされている。しかし、搬送方向には位置決めされていなくて、横搬送ユニットＴが装置本体１に装着される時に、位置決めピンＥ，Ｆにて装置本体１の側板に位置決めされる。
この横搬送ユニットＴは、現像ユニットなどの各ユニットを支持する構造体、及び各ユニット間での用紙をガイドする搬送ガイド等が、樹脂による一体成形で構成されており、その搬送ユニットＴに、各種搬送ローラ、転写ベルトユニット、定着ユニット、両面ユニット等が搭載され、一体的に左右に取り付けられた、スライドレールＳＬ１、ＳＬ２で装置本体１より、搬送方向と直角に引き出し可能になっている。
【００４３】
図１０は装置本体１に赤現像ユニット３３がセットされている状態を表す簡略図である。赤現像ユニット３３は装置本体１にセットされているときは、装置本体１に設けられているピンによって位置が決まるため、このときは横搬送ユニットＴに設けられている受け台２とは接触しておらず、装置本体１に設けられた本体側支持台３と同様に本体側に設けられている位置決めのピンによって支持されている。通常、赤現像ユニット３３と受け台２との隙間ｔは、５ｍｍ以内、好適には２〜３ｍｍである。この状態から装置本体１の手前側に赤現像ユニット３３を引き出すと、赤現像ユニット３３の左側が下方に傾き、赤現像ユニット３３に設けられている不図示のピンが装置本体１側に形成された位置決め穴から外れ、受け台２と接触して赤現像ユニット３３を支える構成となっている。それ以後は、図１１に示すように、赤現像ユニット３３が引き出されるまで、受け台２の上を安定して手前側に引き出されてくる。
【００４４】
なお、図１２、１３に示すように、横搬送ユニットＴの一部を形成している一対のレジストローラ５３の搬送ガイド板４には、レジストローラ５３の従動ローラ５３ｂに圧を加えるための加圧機構として加圧アーム６と加圧スプリング７が設けられている。その際、加圧アーム６の支点は搬送ガイド板４上に立ち面８を設けるので、新たに補強部材を搬送ガイド板４に設置しなくても、加圧または搬送ガイド板自体の自重によるたわみで搬送ガイド板４が変形することがない。したがって、別途、搬送ガイド板４に補強部材を取り付ける必要がない。
【００４５】
また、図１４に示すように、この例のデジタル複写機ではレジストローラ５３ｂの上方に感光体３０、黒現像ユニット３２、赤現像ユニット３３など作像ユニットが配置されている。そのため、デジタル複写機を長期間作動させていると、トナー等の粉塵Ｐによってレジストローラ５３ｂが汚れる可能性があり、その汚れが記録紙などに付着して画像不良を起こす可能性がある。そこで受け台２をレジストローラ５３ｂを覆うように設置することで、搬送ユニットＴ上部に位置する作像ユニット等から発生する粉塵Ｐ等でレジストローラ５３が汚れることを防止することができる。
【図面の簡単な説明】
【００４６】
【図１】この発明の画像形成装置の一例としてのデジタル複写機の概略断面図である。
【図２】図１のデジタル複写機の自動原稿送り装置を開いた状態の部分斜視図である。
【図３】図２のコンタクトガラスに備える原稿サイズ検知センサの配置を示す図である。
【図４】図３の検知センサの詳細説明図である。
【図５】図１のデジタル複写機の定着装置の分解斜視図である。
【図６】図１のデジタル複写機に備えるトレイの斜視図である。
【図７】図１のデジタル複写機の制御ブロック図である。
【図８】図１のデジタル複写機の画像処理回路ブロック図である。
【図９】図１のデジタル複写機装置本体に備える横搬送ユニットの概略断面図である。
【図１０】図１のデジタル複写機装置本体に赤現像ユニットをセットした様子を示した図である。
【図１１】図１０の赤現像ユニットを引き出す様子を示した斜視図である。
【図１２】図１０の横搬送ユニットに備える受け台の横断面図である。
【図１３】図１０の横搬送ユニットに備える受け台の縦断面図である。
【図１４】トナーなどの粉塵によるレジストローラの汚れを受け台で防止している様子を示した図である。
【符号の説明】
【００４７】
１    装置本体
２    受け台
３    支持台
４    搬送ガイド板
８    立ち面
３３    赤現像ユニット（現像ユニット）
５０    第１トレイ（給紙部）
５１    第２トレイ（給紙部）
５３    レジストローラ
６０，３４０    縦搬送ユニット
３１０    第３トレイ（給紙部）
３２０    第４トレイ（給紙部）
３３０    第５トレイ（給紙部）
Ｔ    横搬送ユニット
ｔ    隙間
【図１】
2005070287.tif 000003
【図２】
2005070287.tif 000004
【図３】
2005070287.tif 000005
【図４】
2005070287.tif 000006
【図５】
2005070287.tif 000007
【図６】
2005070287.tif 000008
【図７】
2005070287.tif 000009
【図８】
2005070287.tif 000010
【図９】
2005070287.tif 000011
【図１０】
2005070287.tif 000012
【図１１】
2005070287.tif 000013
【図１２】
2005070287.tif 000014
【図１３】
2005070287.tif 000015
【図１４】
2005070287.tif 000016